(57)【要約】【課題】作業灯の上方向、左右方向からの作業装置によって処理される処理物、及び作業装置の周囲の障害物による作業灯の破損を防止できるとともに、作業灯の下方向からの処理物及び障害物による作業灯の破損を防止できる建設機械の提供。【解決手段】本発明は、車体を構成する旋回体２に取り付けられ、ブーム５，アーム６等を有する作業装置４と、この作業装置４の例えばブーム５の側面５ｂに取り付けられ、アーム６部分及びバケット７の前方付近を照らすことが可能な作業灯とを備えたミニショベルにおいて、作業灯は、小型高光度ランプ１１から成り、ブーム５に固定され、小型高光度ランプ１１が収納される収納部を備え、この収納部は、小型高光度ランプ１１の上下、左右の全てを囲む剛性部材から成る構成にしてある。上述の収納部は、例えば連結ピン１４の一部を形成し、ブーム５の側面５ｂから突出する突出部１４ｃから成っている。【選択図】図４
2012193574.tif 000002
【特許請求の範囲】
【請求項１】
車体と、この車体に取り付けられ、作業具を有する作業装置と、この作業装置の上記作業具の側面に取り付けられ、上記作業具の前方付近を照らすことが可能な作業灯とを備えた建設機械において、
上記作業灯は、小型高光度ランプから成り、
上記作業具に固定され、上記小型高光度ランプが収納される収納部を備え、この収納部は、上記小型高光度ランプの上下、左右の全てを囲む剛性部材から成ることを特徴とする建設機械。
【請求項２】
請求項１に記載の建設機械において、
上記作業装置は、上記作業具を含む複数の部材を有し、
上記複数の部材を連結する連結ピンを備え、
上記収納部は、上記連結ピンの一部を形成し、上記作業具の上記側面から突出する突出部から成ることを特徴とする建設機械。
【請求項３】
請求項２に記載の建設機械において、
上記連結ピンによって連結される複数の部材は、上記作業具と、この作業具に連結される油圧シリンダから成ることを特徴とする建設機械。
【請求項４】
請求項３に記載の建設機械において、
当該建設機械は、上記車体を形成する旋回体を有するミニショベルから成り、
上記作業装置は、上記旋回体に上下方向の回動可能に取り付けられるブームと、このブームに上下方向の回動可能に取り付けられるアームと、このアームに上下方向の回動可能に取り付けられるバケットとを含むとともに、
上記ブームを駆動するブームシリンダと、上記アームを駆動するアームシリンダと、上記バケットを駆動するバケットシリンダとを含み、
上記連結ピンによって連結される複数の部材は、上記ブームと上記ブームシリンダ、上記アームと上記アームシリンダ、上記アームと上記バケットシリンダのうちの少なくとも一組から成ることを特徴とする建設機械。
【請求項５】
請求項４に記載の建設機械において、
上記突出部は、上記小型高光度ランプが収納される貫通穴を有することを特徴とする建設機械。
【発明の詳細な説明】
【技術分野】
【０００１】
本発明は、作業装置に含まれる作業具の側面に作業灯が設けられたミニショベル等の建設機械に関する。
【背景技術】
【０００２】
特許文献１には、建設機械として油圧ショベルが示されている。この油圧ショベルは、作業装置の作業具を構成するブームの側面に、バケット付近を照らすことが可能な作業灯を設けた構成となっている。しかし、この作業灯は、ブームの側面に露出した状態で配置されることから、作業装置を駆動させてバケットによって土砂等の処理物を掘削処理等した際などに、処理物が作業灯に衝突して作業灯が破損する虞がある。
【０００３】
このような作業灯の破損を防止しようとするものが特許文献２に提案されている。この特許文献２にも、作業機械として油圧ショベルが開示されている。この特許文献２に示される従来技術は、ブームの側面に作業灯を配置し、上側、及び左右を覆うカバーを備えた構成にしてある。
【先行技術文献】
【特許文献】
【０００４】
【特許文献１】特開２００２−３１７４６５号公報
【特許文献２】特開２００８−９５３３９号公報
【発明の概要】
【発明が解決しようとする課題】
【０００５】
上述した特許文献２に示される従来技術は、バケットによって掘削処理等された処理物が作業灯の上方から作業灯に向かって落下しようとしたときには、カバーによってその処理物の落下が阻止され、作業灯が保護される。また、旋回体の旋回に伴って当該油圧ショベルの周囲の障害物に作業灯が衝突しようとするときには、カバーによって作業灯が障害物から保護される。すなわち、作業灯の上方向及び左右方向からの処理物及び障害物に対しては、カバーによって作業灯を保護することが可能となっている。
【０００６】
しかしながら、作業灯の下側にはカバーが存在していない。これに伴って、地面を深く掘り下げたときなどに、作業灯の下側部分が例えば接地面などに強く押し当てられ、作業灯が破損してしまう虞がある。
【０００７】
また、特許文献１，２に示される従来の作業灯のいずれも比較的大きな形状寸法となっていることから、上述のように作業灯の下側部分が例えば接地面などに押し当てられた際に、作業灯に大きな力が与えられ、これによっても作業灯が破損しやすくなっている。
【０００８】
本発明は、上述した従来技術における実状からなされたもので、その目的は、作業灯の上方向、左右方向からの作業装置によって処理される処理物、及び作業装置の周囲の障害物による作業灯の破損を防止できるとともに、作業灯の下方向からの処理物及び障害物による作業灯の破損を防止できる建設機械を提供することにある。
【課題を解決するための手段】
【０００９】
この目的を達成するために、本発明は、車体と、この車体に取り付けられ、作業具を有する作業装置と、この作業装置の上記作業具の側面に取り付けられ、上記作業具の前方付近を照らすことが可能な作業灯とを備えた建設機械において、上記作業灯は、小型高光度ランプから成り、上記作業具に固定され、上記小型高光度ランプが収納される収納部を備え、この収納部は、上記小型高光度ランプの上下、左右の全てを囲む剛性部材から成ることを特徴としている。
【００１０】
昨今、形状寸法の小さいＨＩＤランプ，ＬＥＤランプ等の小型高光度ランプが開発されて来ている。本発明は、作業灯が小型高光度ランプから成ることから、この小型高光度ランプが収納される収納部の形状寸法を小さく抑えることができる。これにより、小型高光度ランプが収納される収納部と、作業装置によって処理される処理物、及び作業装置の周囲の障害物との衝突の発生を少なくすることができる。また本発明は、小型高光度ランプが収納される収納部が、小型高光度ランプの上下、左右の全てを囲む剛性部材から成ることから、小型高光度ランプの上方向、左右方向からの処理物及び障害物による小型高光度ランプの破損を防止できるとともに、小型高光度ランプの下方向からの処理物及び障害物による小型高光度ランプの破損を防止できる。
【００１１】
また本発明は、上記発明において、上記作業装置が、上記作業具を含む複数の部材を有し、上記複数の部材を連結する連結ピンを備え、上記収納部は、上記連結ピンの一部を形成し、上記作業具の上記側面から突出する突出部から成ることを特徴としている。
【００１２】
このように構成した本発明は、連結ピンの一部を作業具の側面から突出形成させることにより、突出部から成る収納部を容易に設けることができる。また本発明は、突出部から成る収納部が連結ピンの一部であることから、部材数の増加を招くことなく収納部を設けることができる。また本発明は、複数の部材を連結するように連結ピンを装着させた際に、同時に突出部から成る収納部を作業具の側面に配置できるので、収納部の設置作業をきわめて容易に行うことができる。
【００１３】
また本発明は、上記発明において、上記連結ピンによって連結される複数の部材は、上記作業具と、この作業具に連結される油圧シリンダから成ることを特徴としている。このように構成した本発明は、作業具と油圧シリンダの連結部分に、突出部から成る収納部を配置させ、この収納部内に小型高光度ランプを収納させることができる。
【００１４】
また本発明は、上記発明において、当該建設機械は、上記車体を形成する旋回体を有するミニショベルから成り、上記作業装置は、上記旋回体に上下方向の回動可能に取り付けられるブームと、このブームに上下方向の回動可能に取り付けられるアームと、このアームに上下方向の回動可能に取り付けられるバケットとを含むとともに、上記ブームを駆動するブームシリンダと、上記アームを駆動するアームシリンダと、上記バケットを駆動するバケットシリンダとを含み、上記連結ピンによって連結される複数の部材は、上記ブームと上記ブームシリンダ、上記アームと上記アームシリンダ、上記アームと上記バケットシリンダのうちの少なくとも一組から成ることを特徴としている。
【００１５】
このように構成した本発明は、ブームとブームシリンダとの連結部、アームとアームシリンダとの連結部、及びアームとバケットシリンダとの連結部の少なくとも１つに、突出部から成る収納部を配置して、この収納部に収納した小型高光度ランプによってバケット部分、アーム部分等を確実に照らすことができる。
【００１６】
また本発明は、上記発明において、上記突出部は、上記小型高光度ランプが収納される貫通穴を有することを特徴としている。このように構成した本発明は、連結ピンの一部を形成する突出部に貫通穴を形成することにより、容易に収納部を形成することができる。また本発明は、突出部の貫通穴の周囲の壁が剛性部材から成るので、貫通穴に収納された小型高光度ランプを上下、左右方向からの処理物及び障害物に対して確実に保護することができる。
【発明の効果】
【００１７】
本発明は、作業具の前方付近を照らすことが可能な作業灯が小型高光度ランプから成り、作業具に固定され、小型高光度ランプが収納される収納部を備え、この収納部は、小型高光度ランプの上下、左右の全てを囲む剛性部材から成る構成にしてある。この構成に伴って本発明は、小型高光度ランプの上方向、左右方向からの作業装置によって処理される処理物、及び作業装置の周囲の障害物による小型高光度ランプの破損を防止できるとともに、小型高光度ランプかの下方向からの処理物及び障害物による小型高光度ランプの破損を防止できる。すなわち本発明は、小型高光度ランプの上下、左右の全てを囲む剛性部材から成る収納部によって小型高光度ランプを上下、左右方向からの処理物及び障害物に対して確実に保護することができ、従来に比べて信頼性の高い照明機能を有する建設機械を実現させることができる。
【図面の簡単な説明】
【００１８】
【図１】本発明に係る建設機械の第１実施形態を示すミニショベルを示す側面図である。
【図２】図１に示すミニショベルのブームシリンダ連結部分を示す斜視図である。
【図３】図２の要部拡大側面図である。
【図４】図２の要部拡大正面図である。
【図５】第１実施形態に備えられる連結ピン部分を示す斜視図である。
【図６】図５の分解斜視図である。
【図７】第１実施形態に備えられる連結ピン部分を示す図で、（ａ）図は正面図、（ｂ）図は側面図、（ｃ）図は（ａ）図のＡ断面図、（ｄ）図は（ｂ）図のＢ方向から見た図である。
【図８】第１実施形態に備えられる作業灯による照明動作を示す図である。
【図９】本発明の第２実施形態を示す要部斜視図である。
【図１０】第２実施形態に備えられる作業灯による照明動作を示す図である。
【図１１】本発明の第３実施形態を示す要部斜視図である。
【図１２】第３実施形態に備えられる作業灯による照明動作を示す図である。
【図１３】本発明の第４実施形態の要部を示す図で、（ａ）図は斜視図、（ｂ）図は正面図である。
【図１４】本発明の第５実施形態の要部を示す図で、（ａ）図は斜視図、（ｂ）図は正面図である。
【発明を実施するための形態】
【００１９】
以下、本発明に係る建設機械の実施の形態を図に基づいて説明する。
【００２０】
本発明に係る建設機械の第１実施形態は、例えば町中等の狭い作業環境で活用されることの多いミニショベルから成っている。このミニショベルは、図１に示すように、走行体１と、この走行体１上に配置される旋回体２とを備えている。これらの走行体１と旋回体２とによって車体が構成されている。旋回体２上には運転室３が設けられている。また旋回体２の前側位置には作業装置４が取り付けられている。この作業装置４は、旋回体２に上下方向の回動可能に取り付けられるブーム５と、このブーム５の先端に回動可能に取り付けられるアーム６と、このアーム６の先端に回動可能に取り付けられるバケット７とを含んでいる。これらのブーム５、アーム６、及びバケット７は作業具を構成している。また作業装置４は、ブーム５を駆動するブームシリンダ５ａ、アーム６を駆動するアームシリンダ６ａ、バケット７を駆動するバケットシリンダ７ａなどの油圧シリンダを含んでいる。
【００２１】
図２に示すように、本発明に係る第１実施形態は、作業装置４の作業具、例えばバケット７等の前方付近を照らすことが可能な作業灯を備え、この作業灯は、例えばＨＩＶランプ、ＬＥＤランプ等の小型高光度ランプ１１から成っている。
【００２２】
また、この第１実施形態は、作業具、例えばブーム５の一対のブラケット１０に固定され、作業灯である小型高高度ランプ１１が収納される後述の収納部を備えている。この収納部は、小型高光度ランプ１１の上下、左右の全てを囲む剛性部材から成っている。
【００２３】
この第１実施形態は、作業装置４に含まれる複数の部材、例えば図２〜４に示すように、ブーム５の一対のブラケット１０のうちの一方と、油圧シリンダであるブームシリンダ５ａのロッド５ａ１とを連結する連結ピン１４の一部を形成し、ブーム５の側面５ｂから突出する突出部１４ｃから成っている。
【００２４】
図４に示すように、ブーム５一対のブラケット１０のそれぞれの内側にはボス１３が固定されている。連結ピン１４は、一対のブラケット１０のそれぞれに形成された穴、及びボス１３のそれぞれに形成された穴に挿入されて、ブーム５とブームシリンダ５ａのロッド５ａ１とを連結する結合部１４ａと、この結合部１４ａに固定され、上述した一対のブラケット１０のうちの一方にボルトによって固定される小判形の固定部１４ｂと、上述した収納部を形成する突出部１４ｃとを備えている。固定部１４ｂには、この固定部１４ｂを一対のブラケット１０のうちの一方に固定するボルトが挿入される穴部１４ｂ１を形成してある。図４に示すように、ブームシリンダ５ａのロッド５ａ１の先端は、一対のボス１３間に位置する結合部１４ａの部分に、相対的に回動可能に連結されている。
【００２５】
図３に示すように、突出部１４ｃに収納された小型高光度ランプ１１と、電源とを接続するハーネス１２は例えば、ブーム５の側面５ｂから上面にわたって配設されている。なお、図２，３に示すように、ブームシリンダ５の前側には、ブームシリンダ５のロッド５ａ１を保護するカバー部材５ａ２を配置してあり、このカバー部材５ａ２は、ロッド５ａ１の先端に取り付けられている。
【００２６】
図５〜７に示すように、収納部を形成する突出部１４ｃは小型高光度ランプ１１が収納され、全周が剛性部材から成る壁に囲まれる貫通穴１４ｃ１と、この貫通穴１４ｃ１の壁から突出形成され、小型高光度ランプ１１に設けられた一対の取り付け部１１ａ間に配置される係止部１４ｃ２と、突出部１４ｃの前面側に形成された面取り部１４ｃ３とを備えている。小型高光度ランプ１１の一対の取り付け部１１ａのそれぞれには、ねじ１５が挿入される穴が形成され、貫通穴１４ｃ１内の係止部１４ｃ２には、ねじ１５が螺合するねじ穴が形成されている。図７の（ｃ）図に示すように、突出部１４ｃの貫通穴１４ｃ３に収納された小型高光度ランプ１１の一対の取り付け部１１ａを係止部１４ｃ２を挟むように配置させた状態で、ねじ１５を取り付け部１１ａの穴、及び係止部１４ｃ２のねじ穴に挿入、螺合させることによって、小型高光度ランプ１１が突出部１４ｃに固定されるようになっている。
【００２７】
突出部１４ｃの貫通穴１４ｃ３の形成方向、すなわちこの貫通穴１４ｃ３に収納される小型高光度ランプ１１の配設方向は、図８の照明範囲３０で示すように、アーム６部分及びバケット７の前方付近を照らすことが可能なように設定してある。
【００２８】
また例えば、同図７の（ｃ）図に示すように、突出部１４ｃの面取り部１４ｃ３と、小型高光度ランプ１１の光放射部の表面とが略一致するように、小型高光度ランプ１１を突出部１４の貫通穴１４ｃ内に配置してある。
【００２９】
このように構成した第１実施形態に係るミニショベルでは、ブームシリンダ５ａ、アームシリンダ６ａ、バケットシリンダ７ａを選択的に作動させて、該当するブーム５、アーム６、バケット７を駆動することにより、土砂の掘削作業等を実施することができる。また、夜間作業などのように作業環境が暗いときには、小型高光度ランプ１１を点灯させ、図８に示したように、アーム６部分及びバケット７の前方付近を小型高光度ランプ１１によって照らして作業を行うことができる。
【００３０】
このように構成した第１実施形態は、作業灯が小型高光度ランプ１１から成ることから、この小型高光度ランプ１１が収納される収納部、すなわち連結ピン１４の突出部１４ｃの形状寸法を小さく抑えることができる。これにより、小型高光度ランプ１１が収納される突出部１４ｃと、作業装置４によって処理される処理物、及び作業装置４の周囲の障害物との衝突の発生を少なくすることができる。また第１実施形態は、小型高光度ランプ１１の上下、左右の全てを囲む貫通穴１４ｃ１を形成する壁から成る剛性部材を設けてあることから、小型高光度ランプ１１の上方向、左右方向からの処理物及び障害物による小型高光度ランプ１１の破損を防止できるとともに、小型高光度ランプ１１の下方向からの処理物及び障害物による小型高光度ランプ１１の破損を防止できる。すなわち、この第１実施形態は、小型高光度ランプ１１の上下、左右の全てを囲む剛性部材から成る連結ピン１４の突出部１４ｃによって小型高光度ランプ１１を上下、左右方向からの処理物及び障害物に対して確実に保護することができ、信頼性の高い照明機能を有するミニショベルを実現させることができる。
【００３１】
また、この第１実施形態によれば、連結ピン１４の一部をブーム５の側面５ｂから突出形成させることにより、突出部１４ｃから成る小型高光度ランプ１１の収納部を容易に設けることができる。また、この第１実施形態は、突出部１４ｃから成る収納部が連結ピン１４の一部であることから、部材数の増加を招くことなく収納部を設けることができる。さらに、この第１実施形態は、ブーム５とブームシリンダ５ａを連結するように連結ピン１４を装着させた際に、同時に突出部１４ｃから成る収納部をブーム５の側面５ｂに配置できるので、収納部の設置作業を極めて容易に行うことができる。
【００３２】
また、この第１実施形態は、連結ピン１４の一部を形成する突出部１４ｃに貫通穴１４ｃ１を形成することにより、容易に小型高光度ランプ１１の収納部を形成することができる。また、突出部１４ｃに形成した面取り部１４ｃ３と、貫通穴１４ｃ１に収納した小型高光度ランプ１１の光放射部の表面とを略一致させたことから、貫通穴１４ｃ１から小型高光度ランプ１１を突出させない状態において、最も広角の照明範囲３０を確保することができる。
【００３３】
図９，１０に示す第２実施形態も、例えばミニショベルであり、この第２実施形態は第１実施形態の構成に加えて、アーム６のブラケット２０と、アームシリンダ６ａのロッド６ａ１とを連結する連結ピン１４に突出部１４ｃから成る収納部を設け、この突出部１４ｃ内に小型高光度ランプ１１を収納させたものである。このように構成した第２実施形態は、例えば図１０の照明範囲で示すように、アーム６のブラケット２０と、アームシリンダ６ａのロッド６ａ１とを連結する連結ピン１４の突出部１４ｃに収納させた小型高光度ランプ１１によっても、アーム６部分及びバケット７の前方付近を照らすことができる。したがって、ブーム５のブラケット１０とブームシリンダ５ａのロッド５ａ１とを連結する連結ピン１４の突出部１４ｃに収納させた小型高光度ランプ１１と、アーム６のブラケット２０とアームシリンダ６ａのロッド６ａ１とを連結する連結ピン１４の突出部１４ｃに収納させた小型高光度ランプ１１とを同時に活用して、アーム６部分及びバケット７の前方付近を照らすことができる。あるいは、ブーム５のブラケット１０とブームシリンダ５ａのロッド５ａ１とを連結する連結ピン１４の突出部１４ｃに収納させた小型高光度ランプ１１と、アーム６のブラケット２０とアームシリンダ６ａのロッド６ａ１とを連結する連結ピン１４の突出部１４ｃに収納させた小型高光度ランプ１１とを選択的に活用して、アーム６部分及びバケット７の前方付近を照らすことができる。その他の作用効果については第１実施形態と同等である。
【００３４】
図１１，１２に示す第３実施形態も、例えばミニショベルであり、この第３実施形態は第１実施形態の構成に加えて、アーム６のブラケット２０と、バケットシリンダ７ａとを連結する連結ピン１４に突出部１４ｃから成る収納部を設け、この突出部１４ｃ内に小型高光度ランプ１１を収納させたものである。このように構成した第３実施形態は、例えば図１２の照明範囲３２で示すように、アーム６のブラケット２０と、バケットシリンダ７ａとを連結する連結ピン１４の突出部１４ｃに収納させた小型高光度ランプ１１によっても、アーム６部分及びバケット７の前方付近を照らすことができる。したがって、ブーム５のブラケット１０とブームシリンダ５ａのロッド５ａ１とを連結する連結ピン１４の突出部１４ｃに収納させた小型高光度ランプ１１と、アーム６のブラケット２０とバケットシリンダ７とを連結する連結ピン１４の突出部１４ｃに収納させた小型高光度ランプ１１とを同時に活用して、アーム６部分及びバケット７の前方付近を照らすことができる。あるいは、ブーム５のブラケット１０とブームシリンダ５ａのロッド５ａ１とを連結する連結ピン１４の突出部１４ｃに収納させた小型高光度ランプ１１と、アーム６のブラケット２０とバケットシリンダ７ａとを連結する連結ピン１４の突出部１４ｃに収納させた小型高光度ランプ１１とを選択的に活用して、アーム６部分及びバケット７の前方付近を照らすことができる。その他の作用効果については第１実施形態と同等である。
【００３５】
図１３は本発明の第４実施形態の要部を示す図で、（ａ）図は斜視図、（ｂ）図は正面図、図１４は本発明の第５実施形態の要部を示す図で、（ａ）図は斜視図、（ｂ）図は正面図である。
【００３６】
これらの図１３，１４に示す要部、すなわち連結ピン１４を備えた第４，第５実施形態も、図１に示した第１実施形態と同様のミニショベルである。これらの第４，第５実施形態に係るミニショベルに備えられる連結ピン１４は、小型高光度ランプ１１が収納される収納部を構成する突出部１４ｄ，１４ｅの構成が、第１実施形態に備えられる連結ピン１４と異なっている。その他の構成は第１実施形態と同等である。
【００３７】
すなわち、図１３に示す第４実施形態に備えられる連結ピン１４の突出部１４ｄは、上部壁１４ｄ１と下部壁１４ｄ２と、これらの上部壁１４ｄ１と下部壁１４ｄ２の一端側が接続される側壁１４ｄ３を有するとともに、側壁１４ｄ３に対向するように配置した板部材１４ｄ４を上部壁１４ｄ１及び下部壁１４ｄ２の他端側に固定してあり、これらの上部壁１４ｄ１、下部壁１４ｄ２、側壁１４ｄ３、及び板部材１４ｄ４によって、小型高光度ランプ１１が収納される収納空間１４ｄ５を形成させてある。上部壁１４ｄ１、下部壁１４ｄ２、側壁１４ｄ３、及び板部材１４ｄ４のそれぞれは、小型高光度ランプ１１の上下、左右の全てを囲む剛性部材から成っている。側壁１４ｄ３には、小型高光度ランプ１１が取り付けられる係止部１４ｄ６を設けてある。このように構成した第４実施形態も、第１実施形態と同等の作用効果を得ることができる。
【００３８】
また、図１４に示す第５実施形態に備えられる連結ピン１４の突出部１４ｅは、側壁１４ｅ１と、この側壁１４ｅ１に連設される下部壁１４ｅ２を有するとともに、下部壁１４ｅ２に対向し側壁１４ｅ１に固定される上面部１４ｅ３１、及び側壁１４ｅ１に対向し下部壁１４ｅ２に固定される側面部１４ｅ３２を有するＬ字状の曲げ板１４ｅ３を有し、これらの側壁１４ｅ１、下部壁１４ｅ２、及び曲げ板１４ｅ３によって、小型高光度ランプ１１が収納される収納空間１４ｅ４を形成させてある。側壁１４ｅ１、下部壁１４ｅ２、及び曲げ板１４ｅ３のそれぞれは、小型高光度ランプ１１の上下、左右の全てを囲む剛性部材から成っている。側壁１４ｅ１には、小型高光度ランプ１１が取り付けられる係止部１４ｅ５を設けてある。このように構成した第５実施形態も、第１実施形態と同等の作用効果を得ることができる。
【符号の説明】
【００３９】
２    旋回体
４    作業装置
５    ブーム（作業具）
５ａ  ブームシリンダ（油圧シリンダ）
５ａ１  ロッド
５ｂ  側面
６    アーム（作業具）
６ａ  アームシリンダ（油圧シリンダ）
６ａ１  ロッド
７    バケット（作業具）
７ａ  バケットシリンダ（油圧シリンダ）
１０    ブラケット
１１    小型高光度ランプ（作業灯）
１１ａ  取り付け部
１４    連結ピン
１４ａ  結合部
１４ｂ  固定部
１４ｂ１  穴部
１４ｃ  突出部（収納部）
１４ｃ１  貫通穴
１４ｃ２  係止部
１４ｃ３  面取り部
１４ｄ    突出部（収納部）
１４ｄ１  上部壁
１４ｄ２  下部壁
１４ｄ３  側壁
１４ｄ４  板部材
１４ｄ５  収納空間
１４ｄ６  係止部
１４ｅ  突出部（収納部）
１４ｅ１  側壁
１４ｅ２  下部壁
１４ｅ３  曲げ板
１４ｅ３１  上面部
１４ｅ３２  側面部
１４ｅ４    収納空間
１４ｅ５    係止部
１５    ねじ
２０    ブラケット
３０    照明範囲
３１    照明範囲
３２    照明範囲
【図１】
2012193574.tif 000003
【図２】
2012193574.tif 000004
【図３】
2012193574.tif 000005
【図４】
2012193574.tif 000006
【図５】
2012193574.tif 000007
【図６】
2012193574.tif 000008
【図７】
2012193574.tif 000009
【図８】
2012193574.tif 000010
【図９】
2012193574.tif 000011
【図１０】
2012193574.tif 000012
【図１１】
2012193574.tif 000013
【図１２】
2012193574.tif 000014
【図１３】
2012193574.tif 000015
【図１４】
2012193574.tif 000016